【事件の表示】
　特許第３２１６０４２号「円板体の揚送装置」の請求項１ないし３に係る特許に対する特許異議の申立てについて、次のとおり決定する。
【結　論】
　訂正を認める。
　特許第３２１６０４２号の請求項１に係る特許を維持する。
【理　由】
〔１〕手続の経緯
　特許第3216042号の請求項１〜３に係る発明についての出願は、平成８年５月17日に特許出願され、平成13年８月３日にその発明について特許権の設定登録がされ、その後、その特許について、異議申立人荒川浩二により特許異議の申立てがされ、取消しの理由が通知され、その指定期間内である平成14年11月13日に訂正請求（後日取下げ）がされた後、再度の取消しの理由が通知され、その指定期間内である平成15年１月28日に訂正請求がされたものである。
　
〔２〕訂正の適否についての判断
(1)訂正の内容
　特許権者が求めている訂正の内容は、以下のａ〜ｃのとおりである。
　ａ特許請求の範囲の請求項１に記載される「少なくとも、複数個の円板体（１〜６）が平らに一列に整列して押し上げられ、上方の開口(10)から当該円板体が放出されるようにした通路(12)と、この通路の前記上方の開口(10)を開閉するようにした手段(23)と、この開閉手段によって、前記通路上方の開口(10)を閉じるようにした弾性手段(22)と、を備えていることを特徴とした円板体の揚送装置。」を
「少なくとも、複数個の円板体（１〜６）が平らに一列に整列して押し上げられ、上方の開口(10)から当該円板体が放出されるようにした
帯板状
帯板状
、かつ当該帯板状通路の前記押し上げられてくる円板体(１〜６)によって、前記開口(10)が開かれるように移動する開閉
前記円板体（１〜６）が前記開口(10)を通過すると、前記開閉手段(23)が当該円板体の主面を押して、円板体を前記帯板状通路(12)の背面側に放出し、開口(10)を閉じるようにするための
　ｂ特許請求の範囲の請求項２、３を削除する。
　ｃ発明の詳細な説明の段落【0004】の記載を「【課題を解決するための手段】本発明は少なくとも、複数個の円板体（１〜６）が平らに一列に整列して押し上げられ、上方の開口(10)から当該円板体が放出されるようにした
帯板状
帯板状
、かつ当該帯板状通路の前記押し上げられてくる円板体(１〜６)によって、前記開口(10)が開かれるように移動する開閉
前記円板体（１〜６）が前記開口(10)を通過すると、前記開閉手段(23)が当該円板体の主面を押して、円板体を前記帯板状通路(12)の背面側に放出し、開口(10)を閉じるようにするための
　
(2)訂正の目的の適否、新規事項の有無及び拡張・変更の存否
　上記訂正事項ａにおいて、「帯状板」及び「、かつ当該帯板状通路の前記押し上げられてくる円板体(１〜６)によって、前記開口(10)が開かれるように移動する開閉」なる記載は、通路(12)および手段(23)の構造を限定するものであるから、特許請求の範囲を減縮を目的とするものであり、「前記円板体（１〜６）が前記開口(10)を通過すると、前記開閉手段(23)が当該円板体の主面を押して、円板体を前記帯板状通路(12)の背面側に放出し、開口(10)を閉じるようにするための」なる記載は弾性手段の機能を明確にするものであるから、明りょうでない記載の釈明を目的とするものである。
　そして、上記訂正事項は、段落【0005】、【0011】、【0013】に記載されている事項であるから、新規事項の追加に該当しない。
　上記訂正事項ｂは、特許請求の範囲の削除であるから、特許請求の範囲の減縮を目的とするものであり、新規事項の追加に該当しない。
　上記訂正事項ｃは、上記訂正事項ａの訂正にともない発明の詳細な説明の記載事項を整合させるものであるから、明りょうでない記載の釈明を目的とするものであり、新規事項の追加に該当しない。
　そして、上記いずれの訂正も実質上特許請求の範囲を拡張し、又は変更するものでもない。
　
(3)むすび
　以上のとおりであるから、上記訂正は、特許法第120条の４第２項及び同条第３項において準用する同法第126条第２、３項の規定に適合するので、当該訂正を認める。
　
〔３〕特許異議申立てについての判断
(1)異議申立ての理由の概要
　申立人荒川浩二は、本件請求項１〜３に係る発明は、甲第１号証（米国特許第4518001号明細書）、甲第２号証（特開平5-73749号公報）、甲第３号証（実願昭63-83713号（実開平2-6375号）のマイクロフィルム）、甲第４号証（実用新案登録第2500697号公報）、甲第５号証（実願平1-5607号（実開平2-130067号）のマイクロフィルム）に記載された発明に基いて当業者が容易に発明をすることができたものであるから、特許法第29条第２項の規定により特許を受けることができず、当該発明の特許は取り消されるべきである、と主張する。
　
(2)取消理由通知の概要
ａ）当審が平成14年10月３日付けで通知した取消理由の概要は、請求項１〜３に係る発明は、刊行物１（異議申立人の提出した甲第２号証）及び刊行物２（異議申立人の提出した甲第５号証）に記載された発明に基いて、当業者が容易に発明をすることができたものである、というものである。（以下、「取消理由ａ」という。）
ｂ）当審が平成14年12月27日付けで通知した取消理由の概要は、明細書の記載が不備である、というものである。（以下、「取消理由ｂ」という。）
　
(3)本件発明
　上記〔２〕で示したように上記訂正が認められるから、本件の請求項１に係る発明（以下、「本件発明」という。）は、上記訂正請求に係る訂正明細書の特許請求の範囲の請求項１に記載されたとおりのものである。（上記〔２〕、(1)、訂正事項ａ参照）
　
(4)甲号各証に記載された発明
　甲第１号証（米国特許第4518001号明細書）には、コイン処理装置に関し、FIGURE1〜4とともに以下の事項が記載されている。
ａ）「ホッパーによるコインの支払いアセンブリィを含むと共に、前後パネル、第１と第２の縁パネルをもつ長手なダクトを含み、さらに、下方の入口端と上方の出口端との間に、単一のエッジからエッジへの列で並べられた、コインを受け入れるためのチャネルを含み、このチャネルの入口端が、前記ホッパーの支払いシュートと連通し、そして、前記出口端の第１の縁パネルに、単一の出口スロットを含むコイン処理装置において、このコイン処理装置が、コインの放出アセンブリィを備え、このアセンブリィは、前記出口スロットを通るコインを、強制的に放出するための放出部材を含み、この放出部材は、前記出口端近くの前記チャネルに突出して、前記前後パネルにほぼ直角な軸まわりに回転可能であり、かつ、前記第１の縁パネルよりも前記第２の縁パネルの近くで、前記チャネルの幅に関して、前記出口スロットから離れる方向に中心ずれしている、第１の位置と、この第１の位置よりも前記出口スロットから離れている、第２の位置との間を移動可能である、ローラを備えると共に、前記第１の位置に、前記放出部材を強制するための、バイアス手段を備え、これによって、前記放出手段が、前記コインを前記出口スロット方向に強制し、そこを通して、これらを強制的に放出する、ことを特徴とする。」（第３欄第42行〜第４欄第９行）
　上記記載によれば、甲第１号証には、以下の発明（以下、「引用発明」という。）が記載されているものと認められる。
「複数個のコインが平らに列で並べられて押し上げられ、上方の出口端から当該コインが放出されるようにしたチャネルと、このチャネルの前記上方の出口端を開閉するようにし、かつ当該チャネルの前記押し上げられてくるメダルによって、前記出口端が開かれるように移動する放出部材と、バイアス手段と、を備えているコイン処理装置。」
　
　甲第２号証（特開平5-73749号公報）には、メダル投出機に関して、図１〜８とともに、以下の事項が記載されている。
ａ）「図５はメダルリフタ２の上端のメダル投出口７およびエジェクタ機構を示しており、メダル投出口７は側方に向けて開口している。エジェクタ機構としては、メダル通路20の終端部において片側のガイド壁71が、メダルリフタ２の基板24に対して揺動軸72を中心に揺動可能に支持されるとともに、付勢手段としてのスプリング73により、揺動可能なガイド壁（以下実施例では「可動ガイド壁」という）71に対向する固定ガイド壁22に近づく方向に付勢されている。つまり、可動ガイド壁71は、メダル通路20の片側の固定ガイド壁21の終端に続く位置に設けられ、メダルＭをメダル投入口７側に案内するように下辺部に案内面71aを有し、中間部が揺動軸72に枢着されており、この可動ガイド壁71の上端突出部とメダルリフタ２との間にスプリング73が取り付けられている。さらにこの可動ガイド壁71には、メダルリフタ２の基板24に形成された切欠き部74を通してその背面側に突出するストッパ71bが連設され、図５(a)に示す基本位置においてストッパ71bが切欠き部74の下辺に当接し、このときの可動ガイド壁71の案内面71aとこれに対向する固定ガイド壁22終端との間隔がメダルＭの径よりも小さくなるように設定されている。」（段落【0016】）
　
　甲第３号証（実願昭63-83713号(実開平2-6375号)のマイクロフィルム）には、硬貨払出装置に関して、第１〜14図とともに以下の事項が記載されている。
a)「第４図のＥＥ断面図で示す第６図のように、円盤12の硬貨搬送孔12a内に複数枚の硬貨Ａ、Ｂが嵌挿された場合は、最下部の硬貨Ａのみが鋼球17と衝突してホッパ11の外側へ弾き出され、その上の硬貨Ｂは第７図で示すように円盤12の回転に伴い鋼球17を乗り越えて、硬貨搬送孔12aの最下部に移動する。そして鋼球17との次回の衝突によりホッパ11の外部へ弾き出される。一方、硬貨Ａが不自然な姿勢で円盤12の硬貨搬送孔12a内に嵌挿した場合、例えば第６図と同一部分を同一符号で示す第８図のように、傾斜した姿勢で硬貨搬送孔12a内に案内された場合でも、鋼球17が出没かつ回動自在に支承されているため、鋼球17が回転かつ下方へ移動して不自然な姿勢で案内された硬貨Ａを第９図で示すように鋼球17の上方へ逃がすので、硬貨 Ａは鋼球17と硬貨搬送孔12aとの間で噛み込まれず、このため円盤12の回転をロックさせることがない。なお、不自然な姿勢で複数枚の硬貨が硬貨搬送孔12a内に案内された場合でも、第８図に示す硬貨Ａと同様に、鋼球17に硬貨が衝突すると当該鋼球17は下方へ没するとともに回転するので、このような複数枚の硬貨は第９図と同様に鋼球17の上方を通過して逃げ、このため複数枚の硬貨は鋼球17と硬貨搬送孔12aとの間で噛み込まれることはない。」（明細書第10頁第４行〜第11頁第11行）
　
　甲第４号証（実用新案登録第2500697号公報）には、硬貨払出装置に関して、第１〜16図とともに以下の事項が記載されている。
a)「前記硬貨ブロック手段13は第１図に示すように一対の球17と、該球17をホッパの底面を構成する底板15の所定位置に、常時は回動自在に所定高Ｈだけ露出させ、かつ、後述するように硬貨を払出す円盤12が硬貨の払出し方向へ回転し硬貨を前記球17と衝突させた際に、前記球17が前記底板15から没することを規制するとともに、前記円盤12が硬貨の払出し方向とは逆方向へ回転し硬貨を前記球17に衝突させた際に前記球17が前記底板15から出没することを許容する孔15aとから構成されている。なお、前記球17は、硬貨との衝突の際に容易に変形しないことが必要であるので、その材質は、鋼、あるいはセラミック等の、硬く、しかも変形しにくい材料で形成されている。また、前記孔15aの形状は、その要部拡大図で示す第６図のように、硬貨を払出す円盤12が矢印で示す硬貨の払出しの方向へ回転し硬貨Ａが前記球17と衝突する際に、球17が底板15の下方へ没しないよう、一方の側15bが球17の周面と略同一な円弧形状をなしており、また一方の側15bと対向する他側15cは、円盤12が硬貨の払出し方向とは逆方向、つまり矢印方向とは逆方向へ回転し硬貨Ａが前記球17と衝突する際に球17が底板15の下方へ容易に出没できるよう所定角度傾斜した傾斜面となっている。なお第１図に示すように前記一対の球17は付勢手段であるＹ字形状の板バネ18により常時上方へ押圧されており、この板バネ18はネジ19によりホッパ11を構成する底板15に固着されている。また第１図で、前記球17が露出する高さＨは払い出す硬貨の一枚分の厚みの1/2よりも大きく、また硬貨の一枚分の厚みよりも小さく設定されていることが好ましい。」（第３頁左欄第43行〜右欄第23行）
　
　甲第５号証（実願平1-5607号（実開平2-130067号）のマイクロフィルム）には、円板状体搬送部構造に関し、第１〜８図とともに以下の事項が記載されている。
a)「第１図乃至第３図に示すように、一方側が開放された断面形状ほぼＣ字状の前記第１案内部材(10)の２つを上下方向に配置し、これら第１案内部材(10)，(10)の間にメダル(M)を受け渡し可能な状態で配置した該第１案内部材(10)とは形状の異なる第１案内部材(10)に板状部材(13)をビス止めし、この板状部材(13)に大小２つの孔(13A)，(13B)を形成すると共に、前記両孔(13A)，(13B)のうちの一方の孔(13B)に板状の弾性体としてのバネ(14)をビス止めし、かつ、この板バネ(14)にそれの一側面から突出してメダル(M)にそれの肉厚方向から接当する半球状でかつステンレス製の接当部(15)を前記他方の孔(13A)を通して搬送経路側へ突出した状態で付設して、前記逆移動阻止手段(A)を構成してある。尚、前記板状部材(13)は金属材料で構成する他、透明なプラスチック材料で構成してもよい。前記接当部(15)と前記第１案内部材(10)の摺接移動案内面(10A)との間には、メダル(M)の肉厚よりも小なる間隙が形成されており、メダル(M)の移送時に接当部(15)を摺接移動案内面(10A)から離間移動させる操作量を少なく済ませることができるようにしてある。尚、前記板状部材(13)を、前記接当部(15)の搬送経路側への最大突出量を規制する規制部と称する。」（明細書第11頁第17行〜第13頁第２行）
　
(5)対比・判断　
　本件発明と引用発明を対比すると、引用発明の「コイン」、「出口端」、「チャネル」、「放出部材」、「バイアス手段」、「コイン処理装置」は、それぞれ本件発明の「円板体」、「開口」、「帯板状通路」、「開閉手段」、「弾性手段」、「円板体の揚送装置」に相当するものと認められるから、
　両者は、「少なくとも、複数個の円板体が平らに一列に整列して押し上げられ、上方の開口から当該円板体が放出されるようにした帯板状通路と、この帯板状通路の前記上方の開口を開閉するようにし、かつ当該帯板状通路の前記押し上げられてくる円板体によって、前記開口が開かれるように移動する開閉手段と、弾性手段と、を備えている円板体の揚送装置」の点で一致し、下記の点で相違する。
（相違点）
 円板体が開口を通過すると、前者は、「開閉手段が円板体の主面を押して、円板体を帯板状通路の背面側に放出し、開口を閉じるように」したのに対し、後者は、そのような構成でない点。
　上記相違点について検討する。
　「開閉手段が円板体の主面を押して、円板体を帯板状通路の背面側に放出し、開口を閉じるように」した点は、甲第２〜５号証には何ら記載されていないばかりでなく、示唆もされていない。
　そして、本件発明は、上記の点を有することにより、「板状通路の横サイドではなく後サイドのスペースを使用できるという利点が得られる。」という明細書に記載の効果を奏するものである。
　
　したがって、本件発明は、引用発明及び甲第２〜５号証に記載されたものに基いて当業者が容易に発明をすることができたものということはできない。
　
　なお、本件発明に対する取消理由ａは、上記(5)のとおり理由がないものとなり、また、〔２〕で示したとおりの訂正が認められた結果、取消理由ｂも解消した。
　
〔４〕むすび
　以上のとおりであるから、特許異議申立ての理由及び証拠によっては、本件発明の特許を取り消すことができない。
　また、他に本件発明の特許を取り消すべき理由を発見しない。
　よって、結論のとおり決定する。
【異議決定日】
平成１５年２月１７日（２００３．２．１７）
【訂正の要旨】
訂正事項
　ａ．特許請求の範囲の減縮を目的として、本件明細書中の【請求項２】ならびに【請求項３】をそれぞれ削除すると共に、【請求項１】を、
「【請求項１】少なくとも、
複数個の円板体（１〜６）が平らに一列に整列して押し上げられ、上方の開口（１０）から当該円板体が放出されるようにした
帯板状
この
帯板状
かつ当該帯板状通路の前記押し上げられてくる円板体（１〜６）によって、前記開口（１０）が開かれるように移動する開閉
前記円板体（１〜６）が前記開口（１０）を通過すると、前記開閉手段（２３）が当該円板体の主面を押して、円板体を前記帯板状通路（１２）の背面側に放出し、開口（１０）を閉じるようにするための
を備えていることを特徴とした円板体の揚送装置。」
と訂正する。
　ｂ．これにともない、明瞭でない記載の釈明を目的として、本件明細書中の段落【０００４】を、
「【０００４】
　【課題を解決するための手段】本発明は少なくとも、複数個の円板体（１〜６）が平らに一列に整列して押し上げられ、上方の開口（１０）から当該円板体が放出されるようにした
帯板状
帯板状
かつ当該帯板状通路の前記押し上げられてくる円板体（１〜６）によって、前記開口（１０）が開かれるように移動する開閉
前記円板体（１〜６）が前記開口（１０）を通過すると、前記開閉手段（２３）が当該円板体の主面を押して、円板体を前記帯板状通路（１２）の背面側に放出し、開口（１０）を閉じるようにするための
と訂正する。
（５４）【発明の名称】
円板体の揚送装置
（５７）【特許請求の範囲】
　【請求項１】少なくとも、
複数個の円板体（１〜６）が平らに一列に整列して押し上げられ、上方の開口（１０）から当該円板体が放出されるようにした
帯板状
この
帯板状
かつ当該帯板状通路の前記押し上げられてくる円板体（１〜６）によって、前記開口（１０）が開かれるように移動する開閉
前記円板体（１〜６）が前記開口（１０）を通過すると、前記開閉手段（２３）が当該円板体の主面を押して、円板体を前記帯板状通路（１２）の背面側に放出し、開口（１０）を閉じるようにするための
を備えていることを特徴とした円板体の揚送装置。
【発明の詳細な説明】
　【０００１】
　【産業上の利用分野】　本発明は、複数個の円板体を上方に揚げて送り出す、円板体の揚送装置に関する。本発明は、具体的には、貨幣である円板形のコイン、あるいは、ゲーム等に使用される円板形のメダルなどの円板体を複数個、上方に送り出すための円板体揚送装置に関する。本発明は、さらに具体的には、メダルの貸出し機を含む自動販売機、通貨の両替機、メダル使用のゲーム装置などに使用される、円板体の揚送装置に関する。
　【０００２】
　【従来の技術】　これまでの円板体の揚送装置としては、たとえば、米国特許第４、５１８、００１号公報に記載された、「コイン処理装置」がある。図４は、この米国特許公報に添付されている図面を転用したもので、この図面にもとづいて、従来例を概略的に説明する。図４のコイン処理装置は、ホッパー（１０１）によるコインの支払いアセンブリィを含むと共に、前後パネル（１１４、１５１）、第１と第２の縁パネル（３４１、３２１）をもつ長手なダクト（１２１）を含み、さらに、下方の入口端（１１３）と上方の出口端（１１１）との間に、単一のエッジからエッジへの列で並べられた、コイン（１８１）を受け入れるためのチャネル（１２５）を含み、このチャネルの入口端（１１３）が、前記ホッパーの支払いシュート（１３９）と連通し、そして、前記出口端（１１１）の第１の縁パネル（３４１）に、単一の出口スロット（３０１）を含むコイン処理装置において、このコイン処理装置が、コインの放出アセンブリィを備え、このアセンブリィは、前記出口スロット（３０１）を通るコインを、強制的に放出するための放出部材を含み、この放出部材は、前記出口端（１１１）近くの前記チャネル（１２５）に突出して、前記前後パネル（１１４、１５１）にほぼ直角な軸まわりに回転可能であり、かつ、前記第１の縁パネル（３４１）よりも前記第２の縁パネル（３２１）の近くで、前記チャネル（１２５）の幅に関して、前記出口スロット（３０１）から離れる方向に中心ずれしている、第１の位置と、この第１の位置よりも前記出口スロット（３０１）から離れている、第２の位置との間を移動可能である、ローラを備えると共に、前記第１の位置に、前記放出部材を強制するための、バイアス手段（２０１）を備え、これによって、前記放出手段が、前記コインを前記出口スロット（３０１）方向に強制し、そこを通して、これらを強制的に放出する、ことを特徴としている。
　【０００３】
　【発明が解決しようとする課題】　しかしながら、上述した従来の、コイン処理装置は、長手な帯板状のダクトの上方から、コインを板方向である横方向に放出するため、帯板状ダクトの横方向に、放出されたコインを受け入れるための装置を設ける必要があった。このため、帯板状のダクトの横に、放出コインの受け入れ装置のためのスペースが必要になるという問題点があった。言い替えると、帯板状ダクトの前面あるいは背面に、設置スペースがある場合には、このスペースを使用できないという問題点があった。本発明は、帯板状ダクトの横に設置スペースが充分にとれない場合に使用できる、小形の円板体揚送装置を提供する目的から開発されたものである。本発明は具体的には、帯板状のダクトの上方からコインを、たとえば、帯板状ダクトの背面側に放出するようにして、帯板状ダクトの後方スペースを使用できるようにする目的などから開発されたものである。
　【０００４】
　【課題を解決するための手段】本発明は少なくとも、複数個の円板体（１〜６）が平らに一列に整列して押し上げられ、上方の開口（１０）から当該円板体が放出されるようにした
帯板状
帯板状
かつ当該帯板状通路の前記押し上げられてくる円板体（１〜６）によって、前記開口（１０）が開かれるように移動する開閉
前記円板体（１〜６）が前記開口（１０）を通過すると、前記開閉手段（２３）が当該円板体の主面を押して、円板体を前記帯板状通路（１２）の背面側に放出し、開口（１０）を閉じるようにするための
　【０００５】
　【作用】　したがって、本発明の円板体揚送装置によると、通路手段内に押し上げられてくる、最も上の位置にある一個の円板体が、開閉手段を動かして、通路手段の開口を開き、この開口を当該円板体が通過すると、当該円板体の主面を介在して、一個の該円板体が、通路手段内から確実に押し出されると共に、該開口が閉じられることになる。言い替えると、本発明は、帯板状の通路手段の上方から、円板体を一個づつ確実に、たとえば、帯板状通路手段の正面側あるいは背面側に放出できるため、通路手段の横方向ではなく、前後方向のスペースを使用できることになる。
　【０００６】
　【実施例】　以下に本発明を、その実施例について、添付の図面を参照して説明する。図１は、本発明による一実施例の要部を、側面から見た断面の、概略的な端面図である。図２は、同上の要部を左側から見た概略的な斜面図であり、図３は、図１を右側から見た概略的な斜視図である。図２、図３のそれぞれに示される、大きな矩形状の板は背面板１１で、この背面板１１は、図の下方から、同じ姿勢で、一列に整列して押し上げられてくる、同形の円板体１、２、３を通過するための通路１２を一部構成する。背面板１１に並行に形成されている矩形状の板は正面板１３で、円板体１〜３の通路１２の一部を構成し、背面板１１と正面板１３との間隔は、円板体１〜３、４、５、６の一個の厚みにほぼ相当している。なお、正面板１３の上縁は背面板１１よりもやや低く、正面板１３の中央には、適宜に長孔１４が形成されている。
　【０００７】さらに、背面板１１と正面板１３との間には、細長い一対の縁板１５、１６が形成されて、円板体１〜３の通路１２の一部を構成しており、一対の縁板１５、１６の間隔は、円板体１〜６の一個の直径にほぼ相当している。なお、縁板１５、１６は、背面板１１よりもやや高く上方まで形成されている。以上のことから、背面板１１、正面板１３、一対の縁板１５、１６は、円板体１〜６を上方に通過するための通路手段を構成しており、この通路手段の上方の開口１０（図１参照）は、後記するように、背面板１１の上縁レベルになる。図２に示される、やや大きな屈曲された薄手の矩形板は規制板１７で、この規制板１７の下縁は、屈曲されて、正面板１３の上縁に固定されている。規制板１７の中央には丸孔１８（図１参照）が形成され、規制板１７の上方には長孔１９が形成されている。
　【０００８】規制板１７の下方に示される、略Ｍ字形の板は保持板２１で、この保持板２１の下方は、規制板１７の下縁に固定されている。保持板２１の上に示される、やや小さなＬ字形に屈曲された板は板ばね２２で、この板ばね２２の下方は、保持板２１の下方に固定されている。図１、図２の中央の球体２３は、板ばね２２の弾性力に抗して、保持板２１内に遊嵌状に挿入され、通常は、規制板１７の丸孔１８と板ばね２２とによって保持されている。なお、保持板２１は、球体２３が、図２において、左右にこぼれないように保持するためのものである。
　【０００９】背面板１１の背面上縁には、図３に示されるように、やや屈曲された板棒形の一対の縁板２４、２５の下方が、それぞれ固定されて、円板体１〜６の落下通路２６の一部を構成している。なお、一対の縁板２４、２５の間隔は、円板体１〜６の一個の直径にほぼ相当している。図３に示される、やや大きな屈曲された板は取付け板２７で、一対の縁板２４、２５に架け渡されて固定され、円板体１〜６の落下通路２６の一部を構成し、背面板１１と取付け板２７との間隔は、円板体１〜６の二個の厚みにほぼ相当している。したがって、円板体１〜６の厚みに応じて、通路１２を調整する必要がある場合にも、落下通路２６の調整は必要がない場合が多い。なお、取付け板２７の上方には長孔２８が形成され、下方には適宜に切り起こし片２９が形成されている。
　【００１０】図２、図３の３１は細い軸で、この軸３１は、長孔２８をスライド自在に貫通しており、軸３１の通路１２側には、ローラ３２が抜け止めして固定され、軸３１の落下通路２６側には、Ｚ字形の可動片３３が抜け止めして固定されている。図１、図３に示される３４は筒形のスプリングで、このスプリング３４は、可動片３３と切り起こし片２９とに架け渡されて、可動片３３を切り起こし片２９の方向に引きつけている。３５は横向きＵの字形のセンサで、可動片３３の移動通過を検出する。センサ３５は、図示の場合、近接スイッチであるが、光センサ、磁気センサなどであっても良いことは勿論である。なお、Ｌ字形の板３６は、センサ３５を取付け板２７に固定するためのものである。また、ローラ３２、可動片３３、スプリング３４、センサ３５などは、検出手段を構成している。
　【００１１】上述の構成からなる本実施例は、図４に示される様な、円板体の送出装置によって、円板体１、２、３が、通路１２内に押し上げられてくると、最も上の位置にある円板体３の上縁が、図１に示されるように、球体２３に当たり、さらに押し上げられると、板ばね２２の弾性力に抗して、球体２３が、図１の鎖線で示されるように、図１の左側に移動して、通路１２の開口１０が、開かれることになる。したがって、通路１２内を押し上げられてくる円板体１２は、さらに上方に移動できることになって、円板体４の位置にくることになる。かくして、円板体４の下縁が、背面板１１の上縁から外れると、板ばね２２の弾性復元力によって、球体２２が元の位置に戻り、円板体４を、円板体５の位置に押し出すと共に、通路１２の開口１０を塞ぐことになる。押し出された円板体５は、自由になって、落下通路２６を落下することになる。
　【００１２】一方、円板体３から円板体４の位置に移動するとき、円板体４は、ローラ３２を押し上げることになるから、スプリング３４に抗して、可動片３３が上方に移動し、センサ３５によって検出されることになる。かくして、球体２３によって押し出された円板体５は、自由になって、落下通路２６を落下することになるが、スプリング３４の復元力が働いて、円板体５の自然落下よりもスピードが増すことになる。なお、規制板１７、丸孔１８、保持板２１、板ばね２２、球体２３は、通路１２の開口１０を開閉する開閉手段を構成していると言える。したがって、これらを一体的に形成して、球体２３をもつ板ばね２２として、あるいは、図示を省略したが、球面部分をもつ板ばねとして、正面板１３の上縁に固定しても良いことは、勿論である。
　【００１３】
　【発明の効果】以上のように本発明は簡単な構成を付加することによって大きな実用的な効果が得られることになる。すなわち本発明は、複数の円板体が一列になって通路内を押し上げられてくると最も上の円板体の上縁が球体を押し上げる。さらに此等の円板体が押し上げられると、板バネに抗して球体が動かされ通路の上方の開口は開かれる。この結果、通路内を押し上げられてくる最も上の円板体は上方の開口から開放されることになる。この円板体が上方の開口から開放されると、板バネの復元力によって当該円板体は押し出され球体は上方の開口を閉じる。以上のように本発明は、帯板状通路の上方から円板体を一個ずつ確実に帯板状通路の正面側あるいは背面側に放出できる。したがって本発明を採用すると、帯板状通路の横サイドではなく前後サイドのスペースを使用できるという利点が得られる。
【図面の簡単な説明】
　【図１】　本発明による一実施例の要部を、側面から見た断面の、概略的な端面図である。
　【図２】　同上の要部を左側から見た概略的な斜面図である。
　【図３】　図１を右側から見た概略的な斜視図である。
　【図４】　従来例を示す斜視図である。
　【符号の説明】
　１、２、３、４、５、６：円板体、
　１０：開口、
　１１：背面板、
　１２：通路、
　１３：正面板、
　１５、１６：縁板、
　２２：板ばね、
　２３：球体、
　２６：落下通路、
　３２：ローラ、
　３３：可動片、
　３４：スプリング、
　３５：センサ。